(57)【要約】【課題】ロータリ耕耘装置においてリヤーカバーの左右両側から泥の漏れを防止する。【解決手段】チエンケース１３の下端部に耕耘軸１７を回転自在に軸架し、この耕耘軸１７に多数の耕耘爪１８，…を取り付けて耕耘部Ａを構成し、耕耘部Ａの上方部及び左右両側部を耕耘カバー１９により覆い、この耕耘カバー１９の後側端部には左右方向のピン２１ａを介してリヤーカバー２１を上下回動自在に軸支し、このリヤーカバー２１の左右両側前部を左右の後側サイドカバー２２，２２で覆い、このリヤーカバー２１の左右両側後部には上下移動可能な左右閉鎖板２６，２６を設け、耕耘部Ａの耕耘深度が浅くなりリヤーカバー２１の下方回動状態では左右閉鎖板２６，２６が下方に移動し、耕耘部Ａの耕耘深度が深くなりリヤーカバー２１の上方回動状態では左右閉鎖板２６，２６が上方に移動するように構成する。【選択図】図７
2007006776.tif 000002
【特許請求の範囲】
【請求項１】
チエンケース（１３）の下端部に耕耘軸（１７）を回転自在に軸架し、該耕耘軸（１７）に多数の耕耘爪（１８，…）を取り付けて耕耘部（Ａ）を構成し、該耕耘部（Ａ）の上方部及び左右両側部を耕耘カバー（１９）により覆い、該耕耘カバー（１９）の後側端部には左右方向の支点回りにリヤカバー（２１）を上下回動自在に支持し、該リヤカバー（２１）の左右両側前部を左右後側サイドカバー（２２，２２）で覆い、前記リヤカバー（２１）の左右両側後部には上下移動可能な左右閉鎖板（２６，２６）を設け、前記耕耘部（Ａ）の耕耘深度が浅くなりリヤカバー（２１）の下方回動状態では前記左右閉鎖板（２６，２６）が下方に移動し、前記耕耘部（Ａ）の耕耘深度が深くなりリヤカバー（２１）の上方回動状態では左右閉鎖板（２６，２６）が上方に移動するように構成したことを特徴とするロータリ耕耘装置のカバー装置とする
【発明の詳細な説明】
【技術分野】
【０００１】
本発明は、ロータリ耕耘装置のカバー装置に関するものである。
【背景技術】
【０００２】
ロータリ耕耘装置のカバー装置において、チエンケースとサイドフレームとの下部間にロータリ耕耘部を設け、このロータリ耕耘部の上部を覆う耕耘カバーを設け、ロータリ耕耘部の左右両側部を覆う左右側部カバーを設け、耕耘カバーの後部に背面板を上下回動自在に支持し、この背面板の左右両側部に左右の側面板を設けて、耕耘土壌の漏れを防止したものは公知である（特許文献１）。
【特許文献１】特開平６−２２５６０４号公報
【発明の開示】
【発明が解決しようとする課題】
【０００３】
前記従来技術では、耕耘カバーの後部に背面板を上下回動自在に支持し、背面板の左右両側部に固定状態の左右側面板を設けて、ロータリ耕耘部の耕耘土壌が背面板の左右両側から漏れるのを防止するものである。
【０００４】
従って、ロータリ耕耘部の耕耘深度が深い場合には、土壌の漏れを比較的良好に防止できるが、耕耘深度が浅くなると左右両側への漏れを防止できず、均平に耕耘できないという不具合が発生していた。
【０００５】
そこで、この発明は耕耘深度が浅くなる代掻き作業のような場合にも背面板の左右両側部から耕耘土壌の漏れを防止し、従来装置の欠点を解消しようとするものである。
【課題を解決するための手段】
【０００６】
本発明は、チエンケース（１３）の下端部に耕耘軸（１７）を回転自在に軸架し、該耕耘軸（１７）に多数の耕耘爪（１８，…）を取り付けて耕耘部（Ａ）を構成し、該耕耘部（Ａ）の上方部及び左右両側部を耕耘カバー（１９）により覆い、該耕耘カバー（１９）の後側端部には左右方向の支点回りにリヤカバー（２１）を上下回動自在に支持し、該リヤカバー（２１）の左右両側前部を左右後側サイドカバー（２２，２２）で覆い、前記リヤカバー（２１）の左右両側後部には上下移動可能な左右閉鎖板（２６，２６）を設け、前記耕耘部（Ａ）の耕耘深度が浅くなりリヤカバー（２１）の下方回動状態では前記左右閉鎖板（２６，２６）が下方に移動し、前記耕耘部（Ａ）の耕耘深度が深くなりリヤカバー（２１）の上方回動状態では左右閉鎖板（２６，２６）が上方に移動するように構成したことを特徴とするロータリ耕耘装置のカバー装置とする。
【０００７】
前記構成によると、リヤカバー（２１）の左右両側後部には、例えば、軸（２７）とトルクスプリング（２９）により上下移動可能に左右閉鎖板（２６，２６）が設けられていて、この左右閉鎖板（２６，２６）は、耕耘部（Ａ）の耕耘深度が浅くなりリヤカバー（２１）の下方回動状態になると、左右閉鎖板（２６，２６）がトルクスプリング（２９）に押圧されて軸（２７）廻りに下方に移動し、また、耕耘部（Ａ）の耕耘深度が深くなりリヤカバー（２１）の上方回動状態になると、左右閉鎖板（２６，２６）は上方に移動し、リヤカバー（２１）の左右両側からの耕耘土壌の漏れを防止する。
【発明の効果】
【０００８】
本発明は、リヤカバー（２１）の左右両側前部の左右後側サイドカバー（２２，２２）で覆い、リヤカバー（２１）の左右両側後部には上下移動可能な左右閉鎖板（２６，２６）を設けているので、耕耘部（Ａ）が耕深調節されても左右閉鎖板（２６，２６）が上下移動しリヤカバー（２１）の左右両側後部を閉鎖し、左右閉鎖板（２６，２６）の耐久性を高めながら耕耘土壌の左右両側への漏れを防止することができる。
【発明を実施するための最良の形態】
【０００９】
以下、本発明の一実施形態を図面に基づき説明する。
図１に示すように、トラクタ１の後部にはトップリンク２ａ及び一対のロアリンク２ｂよりなる３点リンク機構２を介してロータリ耕耘装置３が連結されている。トラクタ１の機体後部に設けた作業機昇降用油圧装置４のリフトアーム６、リフトロッド７及び三点リンク機構２を介してロータリ耕耘装置３を昇降するように構成している。
【００１０】
ロータリ耕耘装置３は、図２に示すように、中央のギヤボックス１１から左右両側に筒状の左右枠体１２，１２を延出して耕耘フレーム１０を構成し、左右一側の枠体１２にはチエンケース１３を、他方の枠体１２にはサイドフレーム（図示省略）を夫れ夫れ固着して背面視門形状に構成し、前記ギヤボックス１１の左右両側からトップリンクマスト１６を突設し、前記三点リンク機構２の上部リンクの後端をトップリンクマスト１６の前側端部にピン連結している。
【００１１】
チエンケース１３の下端部とサイドフレーム（図示省略）の下端部間に耕耘軸１７を回転自在に軸架し、この耕耘軸１７に多数の耕耘爪１８，…を取り付けて耕耘部Ａを構成している。
【００１２】
トラクタ１本体からＰＴＯ動力がギヤボックス１１内伝動機構に伝達され、更に、ＰＴＯ動力は一方の筒体状の枠体１２、チエンケース１３内の耕耘伝動装置（図示省略）を経て耕耘軸１７に伝達される構成である。前記耕耘部Ａの前側部、上方部、後側部及び左右両側部を耕耘カバー１９で覆い、耕耘フレーム１０に耕耘カバー１９を取り付けている。
【００１３】
また、耕耘カバー１９の後側端部には左右方向のピン２１ａを介してリヤカバー２１を上下回動自在に支持し、耕耘フレーム１０に支持した支持棒２３によりリヤカバー２１を支持し、リヤカバー２１の回動下限位置を規制すると共に、上方回動時の加圧力調整を行なうように構成している。また、耕耘カバー１９の左右両側を覆う部分に左右後側サイドカバー２２，２２を取り付けて、リヤカバー２１の左右両端前側部を覆っている。
【００１４】
次に、図３により支持棒２３でのリヤカバー２１の支持構成を具体的に説明する。耕耘フレーム１０から後方に延出するステー３６の先端部に、コマ３７を左右方向の軸芯回りに回動するように軸支している。このコマ３７の上下方向の貫通孔に支持棒２３を摺動自在に挿通支持し、支持棒２３の上端部には上部押圧バネ４０を介して上部ロック具３８を取り付け、支持棒２３の下端部に左右方向のピン４１を介してリヤカバー２１側の下部ステー３９を枢支連結している。
【００１５】
また、支持棒２３の長手方向には複数の係止溝（図示省略）が設けられていて、コマ３７のストッパ（図示省略）を係止溝に押し込んで支持棒２３をコマ３７に固定すると、リヤカバー２１は支持棒２３により固定され上下動しない状態となる。また、コマ３７のストッパ（図示省略）を支持棒２３の係止溝（図示省略）から離脱させると、リヤカバー２１の上下動に応じて支持棒２３はコマ３７の貫通孔内を移動する。
【００１６】
また、支持棒２３の下部における下部ロック具４２とコマ３７との間に下部押圧バネ４３を介装し、支持棒２３に対する下部ロック具４２の取付位置を上下方向に調節することにより、リヤカバー２１の接地圧を調節できる。また、上部ロック具３８の固定位置を支持棒２３に対してその長手方向に調節すると、リヤカバー２１の下限位置を調整できる。
【００１７】
また、図４に示すように連結押圧バネ４４を構成して、支持棒２３に装着するように構成してもよい。即ち、上部押圧バネ４４ａと下部押圧バネ４４ｂとを連結体４４ｃを介して一体的に連結し、連結押圧バネ４４を構成する。そして、支持棒２３に連結押圧バネ４４を装着し、連結体４４ｃ部をコマ３７で支持するように装着する。このように構成することにより、連結押圧バネ４４の構成を簡単化しながらリヤカバー２１の加圧効果を損なわずに、支持棒２３の長手方向への連結押圧バネ４４の移動を停止し、バネ移動によるガチャガチャする振動音を無くすことができる。
【００１８】
また、耕耘カバー１９にリヤカバー２１を軸支するにあたり、図２及び図５、図６に示すように、持ち上げ付勢手段５１を介してリヤカバー２１を支持する構成としてもよい。この持ち上げ付勢手段５１は次のように構成されている。耕耘カバー１９の上面に設けたＵ型のブラケット５２に左右方向の軸５３を軸架し、この軸５３の一側にはアーム５４を後側に延出するように固着し、軸５３の他側には持ち上げレバー５６を貫通状に取り付け、アーム５４と持ち上げレバー５６との間にスプリング５７を介装し、アーム５４を上方に回動しがちに付勢する。なお、アーム５４側の大径ハブ５４ａとレバー５６側の小径ハブ５６ａとを前記軸５３と同芯状に配置し、大径ハブ５４ａの外周にコイル状スプリング５７を巻回すると共に該スプリング５７の一端をアーム５４の基端側に形成する段部に係合し、他端をレバー５６の基端側に係合させてなり、レバー５６を図５（Ａ）の略水平姿勢から垂直姿勢に回動するとアーム５４がスプリングを介して追随しうる構成である。
【００１９】
そして、耕耘カバー１９の上面に持ち上げ付勢手段５１を取り付け、リヤカバー２１の外面隆起状に設ける断面コ型の補強部材２１ａにブラケット２１ｂを固定し、このブラケット２１ｂの連結ピン２１ｃに一端の筒軸５８ａを貫入保持させたロッド５８を前記持ち上げ付勢手段５１のアーム５４にピン連結し、前記支持棒２３を操作しリヤカバー２１を自由に回動できるようにする。
【００２０】
前記構成によると、持ち上げ付勢手段５１によりリヤカバー２１を上方に回動するように付勢しているので、大量の泥が付着したリヤカバー２１でも持ち上げレバー５６の操作により楽に持ち上げることができ、リヤカバー２１の清掃を容易にすることができる。なお、持ち上げレバー５６を持ち上げ姿勢で保持すべく前記ブラケット５２には着脱自在のレバー保持用ピン５２ａを設けている。
【００２１】
また、図７及び図８に示すように、リヤカバー２１の左右両側後側部に上下動する閉鎖板２６，２６を取り付ける構成としてもよい。即ち、リヤカバー２１の左右両側後側部には、左右カラー２４，２４をリヤカバー２１の側端部に形成する立ち上がり片２１ａに取り付け、左右閉鎖板２６，２６の下端部を内側に折曲した折曲部２６ａに構成し、閉鎖板２６，２６の後側端部には支持ピン２７，２７を内側に向けて突設するように取り付けている。そして、左右閉鎖板２６，２６の支持ピン２７，２７をリヤカバー２１側の左右カラー２４，２４に挿入して軸支すると共に、リヤカバー２１と閉鎖板２６，２６との間にトルクスプリング２８，２８を介装し、左右閉鎖板２６，２６の前側部を上下回動自在で、且つ、下方に回動しがちに付勢している。
【００２２】
前記構成によると、耕耘カバー１９の後側サイドカバー２２，２２の後方で、且つ、リヤカバー２１の左右両側後側部には、上下回動自在で、且つ、下方に回動しがちに付勢している閉鎖板２６，２６を設けているので、ロータリ耕耘装置３が耕深調節されて耕耘部Ａの耕耘深度が浅くなりリヤカバー２１が下方回動状態になると、左右閉鎖板２６，２６がトルクスプリング２８，２８の押圧により下方に移動し、左右閉鎖板２６，２６の折曲部２６ａが耕盤に当接して下限位置が規制される（図８（Ａ）に示す）。
【００２３】
また、耕耘部Ａの耕耘深度が深くなり、リヤカバー２１の上方回動状態になると、左右閉鎖板２６，２６の折曲部２６ａが耕盤に当接してトルクスプリング２８，２８の押圧力に抗して上方に移動する（図８（Ｅ）に示す）。
【００２４】
従って、左右閉鎖板２６，２６が下方に押圧された状態で適宜上下回動し、リヤカバー２１の左右両側後側部を閉鎖し、閉鎖板２６，２６の耐久性を高めながら耕耘土壌の左右両側への飛散を防止することができる。
【００２５】
また、図９に示すように左右閉鎖板２６，２６を構成してもよい。左右閉鎖板２６，２６の内側後部にはブラケット２９，２９を内側に突出するように取り付け、リヤカバー２１の左右両側後側端部には第二ブラケット２９ａ，２９ａを設け、第二ブラケット２９ａ，２９ａには前後方向の支持ピン２７，２７により閉鎖板２６，２６側のブラケット２９，２９を軸支している。そして、軸支部には支点越えにより作用方向の切り替わるスプリング３１を介装し、閉鎖板２６を下方回動側に付勢したり、あるいは、上方回動側に付勢するように構成している。
【００２６】
しかして、図９（Ａ）に示すように、閉鎖板２６，２６を下方に回動すると、後側サイドカバー２２，２２の後方で、且つ、リヤカバー２１の左右両側後側部の間隙部３２を、所定の押圧力の作用した閉鎖板２６，２６により閉鎖し、耕耘土壌の左右両側への飛散を防止することができる。また、閉鎖板２６，２６に過剰な上方への負荷がかかると、図９（Ｂ）に示すように、スプリング３１の押圧力に反して閉鎖板２６，２６が上方に退避回動し、閉鎖板２６，２６の破損を防止することができる。
【００２７】
次に、図１０に基づき耕耘軸１７への耕耘爪１８，…の取付構成について説明する。耕耘軸１７には板状の爪ホルダ４６を設け、左側に屈曲している左耕耘爪１８ａには取付部から少し先端寄りを左側に屈折する左側屈折部１８ｃを構成し、右側に屈曲している右耕耘爪１８ｂには取付部から少し先端寄りを右側に屈折する右側屈折部１８ｄを構成している。そして、爪ホルダ４６の左側面には右側に屈曲している右耕耘爪１８ｂを、爪ホルダ４６の右側面には左側に屈曲している左耕耘爪１８ａを、前後方向にずらしてボルト・ナットにより取り付けている。
【００２８】
しかして、左右耕耘爪１８ａ，１８ｂに左右屈折部１８ｃ，１８ｄを設けているので、左右耕耘爪１８ａ，１８ｂの中途部を背面視で一部あるいは全部重なるように取り付けることができ、間隔部への土の噛み込みを少なくし耕耘負荷を低減させることができる。
【００２９】
また、図１０（Ｂ）に示すように耕耘爪１８を取り付けるように構成してもよい。即ち、耕耘爪取付孔４６ｂの構成してある爪ホルダ４６ａに左右耕耘爪１８ａ，１８ｂを取り付けるにあたっては、左耕耘爪１８ａの取付部より少し先端寄りに右側に屈折する右側屈折部１８ｅを構成し、右耕耘爪１８ｂの取付部より少し先端寄りに左側に屈折する左側屈折部１８ｆを構成し、爪ホルダ４６ａの左側面に左耕耘爪１８ｂを、爪ホルダ４６ａの右側面に右耕耘爪１８ｂを配置して左右方向に重なるようにしてボルト・ナットで取り付けている。しかして、左右耕耘爪１８ａ，１８ｂの中途部が背面視で接近するように取り付けることができ、耕耘負荷を低減することができる。なお、左右耕耘爪１８ａ，１８ｂを図１０（Ｃ）のように構成しても同様の効果が期待できる。
【００３０】
次に、図１１に基づき三点リンク機構２の他の実施例について説明する。通常のトラクタ１では、三点リンク機構２を構成する左右ロワーリンク６１，６１の外側にチエックチエンを設けて、ロワーリンク６１，６１の横振れを防止している。この実施例では左右後輪６３，６３の間隔が狭い場合にも、左右後輪６３，６３に干渉しないようにチエックチエン６２，６２を左右ロワーリンク６１，６１の内側に配設し、左右ロワーリンク６１，６１の横振れを防止しようとするものである。
【００３１】
トラクタ１の機体６４の後部にはロワーリンクピン６６を軸架し、このロワーリンクピン６６の左右端部に左右ロワーリンク６１，６１の前側端部を軸支し、ロワーリンクピン６６の内側部に平面視門型のチエックチエンプレート６７を軸支し、チエックチエンプレート６７の後側部を機体６４の後方で上下回動できるように構成する。チエックチエンプレート６７の後側部と左右ロワーリンク６１，６１の内側中途部とを、左右チエックチエン６２，６２により連結する。
【００３２】
しかして、左右ロワーリンク６１，６１がロワーリンクピン６６回りに上下回動すると、左右チエックチエン６２，６２の取り付けられているチエックチエンプレート６７もロワーリンクピン６６回りに追従しながら上下回動し、左右ロワーリンク６１，６１の横振れを常に防止することができる。
【００３３】
次に、図１２に基づき畦成形器７１の取付構成について説明する。
ロータリ耕耘装置３の後方に設けているリヤーヒッチ７２（図１に示す）にヒッチ部７３を介して畦成形器７１を取り付ける。畦成形器７１のヒッチ部７３の上方には左右取付板７４，７４を設け、左右取付板７４，７４には左右方向のボルト・ナット７６を介して支持板７７を回動自在に取り付けている。この支持板７７には係止ピン７７ａが設けられていて、前記リヤーヒッチ７２に係止ピン７７ａを介して支持板７７を取り付け可能に構成している。
【００３４】
この支持板７７の周縁部には一端側に下部固定孔７７ｂを、他端側に上部固定孔７７ｃ，７７ｃを、これら上部固定孔７７ｂ、上部固定孔７７ｃ，７７ｃの間に複数の座繰り孔７７ｄ，…を、ボルト・ナット７６を中心とした円弧状に設けている。左取付板７４にはステー７８を介して固定ピン７９を左右方向に移動自在に設けると共に、スプリング８１を介装して固定ピン７９を支持板７７側に押圧付勢して、固定ピン７９の先端テーパ部７９ａを前記孔７７ｂ，７７ｃ，７７ｄに貫通あるいは係止可能に構成している。
【００３５】
しかして、リヤーヒッチ７２に畦成形器７１のヒッチ部７３を取り付け、リヤーヒッチ７２に係止ピン７７ａを介して支持板７７を固定した状態で、固定ピン７９を支持板７７の下部固定孔７７ｂに貫通する。すると、畦成形器７１を下方の作業位置に位置させて状態でロータリ耕耘装置３に固定することができる。
【００３６】
また、リヤーヒッチ７２に係止ピン７７ａを介して支持板７７を固定した状態で、リヤーヒッチ７２から畦成形器７１のヒッチ部７３を取り外し、固定ピン７９を支持板７７の下部固定孔７７ｂから外し、ボルト・ナット７６を支点として畦成形器７１を上方に回動し、固定ピン７９を支持板７７の上部固定孔７７ｃに貫通することにより、畦成形器７１を上方に回動した状態で固定することができる。
【００３７】
また、支持板７４の下部固定孔７７ｂと上部固定孔７７ｃとの間には、円弧状に複数の座繰り孔７７ｄ，…を設けているので、畦成形器７１を下方から上方に回動する際に、固定ピン７９の先端テーパ部７９ａを座繰り孔７７ｄ，…に接触しながら回動することにより、畦成形器７１の中途位置から下方への落下回動を防止し上方まで安全に回動させることができる。
【図面の簡単な説明】
【００３８】
【図１】トラクタ及びロータリ耕耘装置の側面図
【図２】ロータリ耕耘装置の側面図
【図３】ロータリ耕耘装置の側面図
【図４】連結押圧バネの側面図
【図５】持ち上げ付勢装置の切断側面図（A）、背面図（Ｂ）、平面図（Ｃ）
【図６】持ち上げ付勢装置の拡大した切断側面図（A)、背面図（Ｂ）
【図７】リヤカバー部の斜視図（A）、側面図（Ｂ）、背面図（Ｃ）
【図８】リヤカバーの作用状態を示す作用説明側面図（A）〜（E）
【図９】ロータリ耕耘装置の斜視図（A）（Ｂ）
【図１０】耕耘爪の取付状態を示す斜視図（A）、背面図（Ｂ）（Ｃ）
【図１１】三点リンク機構の平面図
【図１２】畦成形器の斜視図（A）、一部の拡大斜視図（Ｂ）、支持板拡大図（Ｃ）、作用説明図（Ｄ）
【符号の説明】
【００３９】
１    トラクタ
３    ロータリ耕耘装置
１０    耕耘フレーム
１３    チエンケース
１７    耕耘軸
１８    耕耘爪
１９    耕耘カバー
２１    リヤカバー
２１ａ    ピン
２２    後側サイドカバー
２６    閉鎖板
Ａ    耕耘部
【図１】
2007006776.tif 000003
【図２】
2007006776.tif 000004
【図３】
2007006776.tif 000005
【図４】
2007006776.tif 000006
【図５】
2007006776.tif 000007
【図６】
2007006776.tif 000008
【図７】
2007006776.tif 000009
【図８】
2007006776.tif 000010
【図９】
2007006776.tif 000011
【図１０】
2007006776.tif 000012
【図１１】
2007006776.tif 000013
【図１２】
2007006776.tif 000014
【手続補正書】
【提出日】平成17年7月7日(2005.7.7)
【手続補正１】
【補正対象書類名】特許請求の範囲
【補正対象項目名】請求項１
【補正方法】変更
【補正の内容】
【請求項１】
チエンケース（１３）の下端部に耕耘軸（１７）を回転自在に軸架し、該耕耘軸（１７）に多数の耕耘爪（１８，…）を取り付けて耕耘装置（Ａ）を構成し、該耕耘装置（Ａ）の上方部及び左右両側部を耕耘カバー（１９）により覆い、該耕耘カバー（１９）の後側端部には左右方向の支点回りにリヤーカバー（２１）を上下回動自在に支持し、該リヤーカバー（２１）の左右両側前部を左右後側サイドカバー（２２，２２）で覆い、前記リヤーカバー（２１）の左右両側後部には上下移動可能な左右閉鎖板（２６，２６）を設け、前記耕耘装置（Ａ）の耕耘深度が浅くなりリヤーカバー（２１）の下方回動状態では前記左右閉鎖板（２６，２６）が下方に移動し、前記耕耘装置（Ａ）の耕耘深度が深くなりリヤーカバー（２１）の上方回動状態では左右閉鎖板（２６，２６）が上方に移動するように構成したことを特徴とするロータリ耕耘装置のカバー装置。